(57)【要約】【課題】固定すべき特定の指と隣り合う指を仕切って固定することができ、各指を締め付ける強さを自在にかつ適切に調節できる汎用性の高い指用固定ベルトを提供する。【解決手段】手指または足指の周囲に巻回される帯状の基材１２を有する。基材１２は、柔軟性及び伸縮性を有する生地で成り、その長手方向の中間部１８に挿通孔２４を備える。基材１２の一端部２０が挿通孔２４に挿通されて、筒状部分２６が形成される。基材１２の一端部２０及び他端部２２が、指Y(1)の隣りの指Y(2)，Y(3)を巻き込んで、筒状部分２６の周囲に延出する。筒状部分２６により、指Y(1)の周面を締め付けるとともに、指Y(1)の隣りの指Y(2)，Y(3)に、一端部２０と他端部２２を巻回して相互に接合することにより、指Y(1)を、指Y(2)，Y(3)とともに固定する。【選択図】図１
2016093284.tif 000002
【特許請求の範囲】
【請求項１】
手指または足指の周囲に巻回される帯状の基材を有し、
前記基材は、柔軟性及び伸縮性を有する生地で成り、その長手方向の中間部に挿通孔が設けられ、
前記基材の一端部が前記挿通孔に挿通されて筒状部分が形成され、
前記基材の前記一端部及び前記基材の他端部が、特定の指の片隣または両隣の指を巻き込んで前記筒状部分の周囲に延出し、
前記筒状部分により、前記特定の指の周面を締め付けるとともに、前記特定の指の片隣または両隣の指に、前記一端部と前記他端部の少なくとも一方を巻回して、前記一端部と前記他端部とを相互に接合することにより前記特定の指を固定することができることを特徴とする指用固定ベルト。
【請求項２】
前記挿通孔は、前記一端部よりも幅広の大きさに設けられている請求項１記載の指用固定ベルト。
【請求項３】
前記基材は、経編地で成る請求項１または２記載の指用固定ベルト。
【請求項４】
前記基材は、裏面側の全体または指に接する位置に、吸汗速乾性素材層が設けられている請求項１乃至３記載の指用固定ベルト。
【請求項５】
前記一端部及び前記他端部は、面ファスナにより相互に接合可能に設けられ、
前記面ファスナは、前記一端部と前記他端部の少なくとも一方の裏面側に取り付けられた雄部材と、前記基材の全体または一部の表面側に設けられた雌部とで構成される請求項１乃至４記載の指用固定ベルト。
【請求項６】
前記基材は、ハサミで切断可能な素材で成り、ハサミで外形を切断することにより指のサイズに合わせることができる請求項１乃至５のいずれか記載の指用固定ベルト。
【請求項７】
前記基材の一側縁部に補助ベルトが連設され、前記補助ベルトは、手指または足指の近傍位置に装着され、指に装着された前記基材を支持する請求項１乃至６のいずれか記載の指用固定ベルト。
【発明の詳細な説明】
【技術分野】
【０００１】
本発明は、手指または足指を固定して保護するための指用固定ベルトに関する。
【背景技術】
【０００２】
手指または足指の骨折や捻挫等の処置としては、医療従事者によって非伸縮のテープを用いてテーピングを行い、指を数週間固定・保護するという方法が多くとられている。しかしながら、時間経過に伴ってテーピングにゆるみやずれが生じ、再度、医療機関を受診してテーピングの巻き直しを行わなければならないというわずらわしさがある。
【０００３】
そこで、手指または足指を固定して保護するための用具としては、例えば特許文献１に開示されているように、１または複数の指の外側に巻回される指包囲部と、手首や足の甲などに巻回される支持部とを有し、指包囲部の一側縁部が支持部に連結されている指用サポータがあった。指包囲部及び支持部は、それぞれ一端部裏面に面ファスナの雄部材が取り付けられ、他端部表面の生地が雄部材に付着可能になっており、支持部を手首等に固定することにより、指包囲部が指から脱落するのを防止することができる。
【０００４】
また、特許文献２に開示されているように、相互に側面同士が連結された筒状の中空部を複数有するニット地の足指サポータがあった。この足指サポータは、複数の足指を個別に各中空部に挿入して使用され、隣り合う指同士を仕切りつつ、複数の足指を互いに拘束した状態に固定することができる。
【先行技術文献】
【特許文献】
【０００５】
【特許文献１】特開平８−１９６５６２号公報
【特許文献２】特開２０１１−１０４１８０号公報
【発明の概要】
【発明が解決しようとする課題】
【０００６】
特許文献１の指用サポータの、指包囲部により複数の指をまとめて包囲する構造の場合、固定すべき指の一部にサポータが巻き付けられるだけで、固定すべき指に自由度があり、サポータによる保護及び固定効果が低いものであった。しかも、固定された指同士が接触して汗をかき、蒸れや臭いが発生しやすいという問題がある。また、固定すべき指の１本に巻き付ける場合、サポータが巻き付けられた指が自由に動き、固定効果が低く、骨折時の固定等には使用できないものであった。さらに、足指に使用する場合には、多種多様なサイズが必要である。
【０００７】
特許文献２の足指サポータの場合、各指を締め付けて固定する強さを使用者が自由に調節できないという問題がある。締め付け力は各中空部のサイズや伸縮性で決まってしまうので、例えば、細い指（中指や薬指等、または子供の指）に適した足指サポータは、太い指（親指等、または大人の指）にはやや窮屈である。
【０００８】
本発明は、上記背景技術に鑑みて成されたものであり、固定すべき特定の指と隣り合う指を仕切って固定することができ、各指の締め付け力を自在にかつ適切に調節できる汎用性の高い指用固定ベルトを提供することを目的とする。
【課題を解決するための手段】
【０００９】
本発明は、手指は足指の周囲に巻回される帯状の基材を有し、前記基材は、柔軟性及び伸縮性を有する生地で成り、その長手方向の中間部に挿通孔が設けられ、前記基材の一端部が前記挿通孔に挿通されて筒状部分が形成され、前記基材の前記一端部及び前記基材の他端部が、特定の指の片隣または両隣の指を巻き込んで前記筒状部分の周囲に延出し、前記筒状部分により、前記特定の指の周面を適度に締め付けるとともに、前記特定の指の片隣または両隣の指に前記一端部と前記他端部の少なくとも一方を巻回して、前記一端部と前記他端部とを相互に接合することにより前記特定の指を固定することができる指用固定ベルトである。
【００１０】
前記挿通孔は、前記一端部よりも幅広の大きさに設けられていることが好ましい。前記基材は、経編地で成ることが好ましい。前記基材は、裏面側の全体または指に接する位置に、吸汗速乾性素材層が設けられていることが好ましい。
【００１１】
前記一端部及び前記他端部は、面ファスナにより相互に接合可能に設けられ、前記面ファスナは、前記一端部と前記他端部の少なくとも一方の裏面側に取り付けられた雄部材と、前記基材の全体または一部の表面側に設けられた雌部とで構成されるようにしてもよい。
【００１２】
前記基材は、ハサミで切断可能な素材で成り、ハサミで内外を切ることにより指のサイズに合わせることができることが好ましい。
【００１３】
また、前記基材の一側縁部に補助ベルトが連設され、前記補助ベルトは、手指または足指の近傍位置に装着され、指に装着された前記基材を支持する構成にしてもよい。
【発明の効果】
【００１４】
本発明の指用固定ベルトは、骨折や捻挫、腱鞘炎、靱帯損傷等の指を固定・保護するため等に用いるものであり、手または足の任意の指に簡単に装着することができ、汎用性が高い。また、固定すべき特定の指と隣り合う指が仕切られて固定され、固定すべき指を確実に保護固定することができる。しかも、蒸れや臭いを軽減することができる。さらに、使用者が各指の締め付け力を容易に調節できるので、各指を適切な強さで固定することができ、良好な使用感を得ることができる。その他の用途としては、固定すべき特定の指の保護固定の他、指のストレッチ等を行う際に使用してもよい。
【図面の簡単な説明】
【００１５】
【図１】本発明の指用固定ベルトの一実施形態を示す平面図（ａ）、正面図（ｂ）である。
【図２】この実施形態の指用固定ベルトを足の指に装着した状態を示す平面図（ａ）、装着する手順を示す正面図（ｂ），（ｃ）である。
【図３】この実施形態の変形例を示す平面図である。
【図４】この実施形態の他の変形例を示す平面図である。
【図５】この実施形態のさらに他の変形例を示す平面図である。
【発明を実施するための形態】
【００１６】
以下、本発明の指用固定ベルトの一実施形態について、図面に基づいて説明する。この実施形態の指用固定ベルト１０は、手指または足指の固定・保護に使用され、固定すべき特定の指と隣り合う指を互いに拘束した状態に固定するためのベルトである。
【００１７】
指用固定ベルト１０は、図1に示すように、柔軟で伸縮性のある薄い繊維生地、不織布、圧縮ウレタン等で形成された帯状の基材１２を有している。基材１２の生地は、例えば、経編により形成されたニット生地であることが好ましく、基材１２を大型の生地から切り出して製作する場合に、切り出した外形の周縁部にほつれが発生しにくい。基材１２は、表面１２ａ全体に起毛され、後述する面ファスナ１４の雌部１４ａとなる。裏面１２ｂには、吸汗速乾性素材層１６が設けられ、表面の生地と貼り合わされている。基材１２は、一般的なハサミで外形を切断して大きさを調節したり、挿入孔を開けたりすることができる。
【００１８】
基材１２は、大まかに中間部１８、一端部２０、及び他端部２２に区分することができる。中間部１８と他端部２２は、一端部２０より幅が広くなっており、中間部１８の内側の所定位置に、一端部２０が挿通できる挿通孔２４が設けられている。各部１８，２０，２２は、それぞれ指の周りに巻回され、指の周面に面で接することによって指を保護する働きをするので、ある程度の幅寸法を確保する必要がある。例えば、大人の足指に装着する場合、各部１８，２０，２２の幅寸法は10mm以上に設定するのが好ましい。また、挿通孔２４の大きさについても、一端部２０の幅よりもやや広く、一端部２０を容易に挿通できる大きさに設定するのが好ましい。挿通孔２４の形状は、ここでは楕円状にしてあるが、一端部２０が挿通しやすい形状であれば、スリット状、台形状、半円状、その他の形状に変更してもよい。なお、他端部２２は、必ずしも一端部２０よりも幅広にする必要はなく、図３に示す変形例の指用固定ベルト２８のように、一端部２０と同程度の幅にしてもよい。または、図４に示す変形例の指用固定ベルト２９のように、他端部２２の先端に向かって一端部２０と同程度の幅になるようにしてもよい。
【００１９】
一端部２０の裏面１２ｂ側の先端寄りの位置には、面ファスナ１４の雄部材１４ｂが取り付けられている。雄部材１４ｂは、基材１２の表面１２ａである雌部１４ａに接合可能であり、雌部１４ａと雄部材１４ｂにより面ファスナ１４が形成される。
【００２０】
次に、指用固定ベルト１０を装着する手順の一例として、足の薬指Y(1)を、小指Y(2)と中指Y(3)により固定する場合を例にして説明する。まず、図２（ｂ）に示すように、基材１２の一端部２０を挿通孔２４に挿通し、表面１２ａが外周面となる筒状部分２６を形成する。そして、筒状部分２６の内側に固定すべき指の薬指Y(1)を挿入し、挿通孔２４から引き出した一端部２０と他端部２２を引っ張ることによって、右足の薬指Y(1)の周面を筒状部分２６で締め付けて保護固定する。
【００２１】
さらに、他端部２２を中指Y(3)に巻き付けて筒状部分２６の周囲に巻回し、図２（ｃ）に示すように、一端部２０を小指Y(2)に巻き付けて、他端部２２の外側から一端部２０の雄部材１４ｂを他端部２２の雌部１４ａに接合する。これによって、薬指Y(1)が、小指Y(2)及び中指Y(3)とともに固定される。
【００２２】
薬指Y(1)の締め付け力は、挿通孔２４から引き出した一端部２０及び他端部２２を引っ張る強さによって自在に調節でき、巻き付け時に接触する各素材間に生じる摩擦抵抗、及び一端部２０と他端部２２とが面ファスナ１４で固定されることにより、確実に保持される。また、小指Y(2)と中指Y(3)においても、小指Y(2)及び中指Y(3)を巻き込んで一端部２０及び他端部２２を引っ張る強さによって自在に調節でき、一端部２０と他端部２２とが面ファスナ１４で固定されることによって締め付け力が保持される。
【００２３】
指用固定ベルト１０の指への巻き付け量は、例えば指が細い人に装着すると、図２（ｃ）の状態で、一端部２０と他端部２２との重なりが大きくなり、靴が履きにくくなる等の不都合が生じる可能性があるので、図１（ａ），（ｂ）の二点鎖線で示すように、他端部２２の先端部をハサミで切って長さを調節することができる。また、他端部２２に中指Y(3)を巻き込まず、薬指Y(1)と小指Y(2)だけを固定したい場合があり、この場合も他端部２２が余ってくるので、同様に、他端部２２の先端部をハサミで切って長さを調節するとよい。また、子供の場合、大人よりも指が細く短いので、基材１２の幅方向の端部等をハサミで切ってサイズを調節したり、さらに挿通孔を適所に開けたりするとよい。基材１２は、周縁部が切り離されて外形が多少変化しても、表面１２ａ全体が面ファスナ１４の雌部１４ａになっているので、雄部材１４ａを適宜の位置に問題なく固定することができる。したがって、上記と同様の手順で指に再装着することにより、良好な装着状態を得ることができる。また、基材１２が経編地なので、ハサミで切った部分にほつれが生じにくい。
【００２４】
以上説明したように、指用固定ベルト１０は、固定すべき特定の指を確実に保護固定することができ、任意の指に簡単に装着することができ、汎用性が高い。また、隣り合う指が互いに仕切られて固定されるので、汗をかきにくく、汗をかいたとしても、指の周面に広く接する吸汗速乾性素材層１６によって速やかに吸収され、蒸散されるので、蒸れや臭いが軽減される。また、使用者が各指の締め付け力を容易に調節できるので、指を適切な強さで固定することができ、良好な使用感を長く維持することができる。
【００２５】
なお、本発明の指用固定ベルトは、上記実施形態に限定されるものではない。例えば、上記の面ファスナ１４は、一端部２０の裏面１２ｂに雄部材１４ｂを取り付け、基材１２の表面１２ａ全体を雌部１４ａとする構成であるが、他端部２０の表面１２ａだけを雌部１４ａにしてもよい。また、雄部材１４ｂは、一端部２０の裏面１２ｂではなく他端部２２の裏面１２ｂに取り付けてもよく、上記と同様の作用効果を得ることができる。この場合は、基材１２の表面１２ａ全体を雌部１４ａとしてもよいし、一端部２０の表面１２ａだけを雌部１４ａとしてもよい。また、雄部材１４ｂを、他端部２２の裏面１２ｂと一端部２０の裏面１２ｂの両方に取り付けると、一端部２０と他端部２２のいずれを指側にしてもよく、接合する操作がさらに容易なる。この場合は、基材１２の表面１２ａ全体を雌部１４ａとするとよい。また、面ファスナは、基材の表面を雌部とする構造ではなく、所定の位置に雌部材を取り付けて、相手方の雄部材と接合する構造にしてもよい。この場合、できるだけ面積の広い雌部材を取り付け、雄部材を接合する位置を変更できるようにするのが好ましい。
【００２６】
基材の各部の形状や大きさは、保護対象の指に合わせて適宜変更できる。例えば、上記の指用固定ベルト１０の場合、足の指用に設計されているので基材１２の幅が比較的狭くなっているが、手の指用に設計する場合は、手の指の長さに合うように基材の幅を広くするとよい。また、基材の生地は、柔軟で伸縮性のあるものであればよく、経編以外のものを使用してもよい。また、基材を薄くしたいとき等は、吸汗速乾性素材層を省略してもよい。
【００２７】
さらに、図５に示す指固定ベルト３０のように、上述の指用固定ベルト１０の基材１２の一側縁部に、手首または足の甲等に装着される補助ベルト３２を連設してもよい。補助ベルト３２は、基材１２の途中に連結部３４により中間部が固定され、指用固定ベルト１０の基材１２とは別に所望の部位に装着することができ、指に装着された基材１２が外れたりずれたりするのを確実に防止することができる。
【符号の説明】
【００２８】
１０，２８，２９，３０  指用固定ベルト
１２  基材
１２ａ  表面
１２ｂ  裏面
１４  面ファスナ
１４ａ  雌部
１４ｂ  雄部材
１６  吸汗速乾性素材層
１８  中間部
２０  一端部
２２  他端部
２４  挿通孔
２６  筒状部分
３２  補助ベルト
３４  連結部
Y(1)  薬指
Y(2)  小指
Y(3)  中指
【図１】
2016093284.tif 000003
【図２】
2016093284.tif 000004
【図３】
2016093284.tif 000005
【図４】
2016093284.tif 000006
【図５】
2016093284.tif 000007